(57)【特許請求の範囲】
【請求項１】
既設の機器類を複数利用する据付方法であって、前記既設の各機器類頂部に受台を設置し、該受台に仮設支柱を固定すると共に、隣接する既設の機器類の受台に固定した前記仮設支柱を少なくとも２本利用して当該仮設支柱の最上部に据付梁を設置し、該据付梁に取り付けた吊上装置を用いて新設の機器類を吊り上げ、
所定箇所に据え付けることを特徴とする機器類の据付方法。
【請求項２】
請求項１において、前記既設の機器類頂部と前記受台は、前記受台のフランジ継手と前記既設の機器類自体のフランジ継手を結合することによって固定することを特徴とする機器類の据付方法。
【発明の詳細な説明】
【０００１】
【産業上の利用分野】
本発明は、機器類の据付方法、特に、リアクター、タワー等の機器据付工事及び構造物の据付、組立工事に適用される機器類の据付方法に関する。
【０００２】
【従来の技術】
従来、各種プラントの建設に際して、リアクター、タワー等の機器据付及び構造物の据付、組立には、大型クレーを用いて行う工法、及び敷地内に建てたジンポール等の架構を介して機器及び構造物を巻上ウインチにより巻き上げる工法が採用されている。
また、特願平５−３２００５５号には、図４に示すように、建設地盤Ｇに敷設された基礎土台３０の周囲に脚柱１１、１２（４脚の内、２脚を断面的に図示）を立設し、脚柱１１、１２の最上部に水平方向に延びる態様で吊りビーム２０を架設し、吊りビーム２０に構造物１００を吊り上げるための索装備２１を設けた吊上設備１を仮設し、構造物１００を据付ける際に、索装備２１を構造物１００の頭部のラグ１０１に掛止し、一方、構造物１００の底部をコロ台車２００に搭載し、索装備２１を地上に設置した巻上ウインチ（図示せず）により巻上ワイヤＳ１を介して動作させることによって構造物１００を引き上げ、基礎土台３０に据付ける工法が記載されている。
【０００３】
【発明が解決しようとする課題】
大型クレーンを用いる工法では、大型クレーンを設置するために広大な敷地面積を必要とし、また、ジンポール等の架構を介して行う工法では、仮設基礎、支柱及びガイドワイヤーが必要であり、また、特願平５−３２００５５号に記載の工法の場合、同様に、吊上設備の仮設基礎及び仮設支柱が必要であり、いずれも建設地盤の狭い場所では敷地を確保できず、大型クレーンの設置、ジンポール等の架構や吊上設備の構築ができない、という問題がある。
特に、プラントの増設に伴ってリアクター、タワー等の機器及び構造物を追加設置するような場合、既設のプラントが近接しているため、建設地盤が非常に狭く、上述した工法では据付作業を実施することができない。
また、ジンポール等の架構や吊上設備は、仮設支柱を建設地盤に直接立設することから、仮設物の資材を大量に必要とすることになり、このため、作業に要する労力負担が大きく、かつ、作業工程が多様化し、同時にコスト高になると、いう問題がある。
【０００４】
本発明の目的は、上述した事情に鑑み、建設地盤の狭い場所における据付設備の構築を可能とすると共に、仮設資材の大幅な削減、作業の省力化を図るに好適な機器類の据付方法を提供することにある。
【０００５】
【課題を解決するための手段】
上記目的を達成するために、既設の機器類を複数利用する据付方法であって、既設の各機器類頂部に受台を設置し、該受台に仮設支柱を固定すると共に、隣接する既設の機器類の受台に固定した仮設支柱を少なくとも２本利用して当該仮設支柱の最上部に据付梁を設置し、該据付梁に取り付けた吊上装置を用いて新設の機器類を吊り上げ、所定箇所に据え付ける。
ここで、既設の機器類頂部と受台は、受台のフランジ継手と既設の機器類自体のフランジ継手を結合することによって固定する。
【０００６】
【作用】
本発明は、従来の工法では据付作業が困難であった狭い場所においても、既設リアクター等の機器類を利用して、その頂部に据付設備を構築することができ、据付作業を円滑に行うことが可能となり、また、既設リアクター等の機器類を利用して据付設備を構築することにより、据付設備を形成する仮設資材を大幅に削減することができ、また、仮設資材の大幅な削減に伴い、作業量が削減され、作業工程が減少し、この結果、作業の省力化が図られる。
【０００７】
【実施例】
以下、本発明の実施例を図面を用いて説明する。
図１は、本発明の一実施例を示す。図１において、据付設備Ｓは、２本の仮設支柱１，２、仮設支柱１，２の最上部に水平方向に設置された仮設トネ（据付梁）３、仮設トネ３に取り付けられた吊上装置４を具備する。２本の仮設支柱１，２は、それぞれ既設リアクター５，６の頂部５−１，６−１に立設する。ここで、仮設支柱１，２は、互いにボルト接続された短い支柱ユニットから構成される。吊上装置４は、新設リアクター７を基礎土台８に据付けるために吊り上げる。吊上装置４としては、図４に示したように、仮設トネ（吊りビーム）３に索装備を取り付け、巻上げワイヤを介して地上に設置した巻上ウインチを用いる。
新設リアクター７を既設リアクター５，６間の基礎土台に据え付けるには、吊上装置４を作動し、巻上ウインチ（図示せず）により新設リアクター７を吊り上げ、基礎土台８に据付ける。
【０００８】
図２に、立設する仮設支柱と既設リアクターの頂部の詳細構造を示す。図２（ａ）は仮設支柱と既設リアクターの頂部の正面平面図であり、図２（ｂ）はその上からみた平面図である。既設リアクター５の頂部５−１には仮設支柱１の受台１０として大型Ｈ鋼を＋文字状に配設する。＋文字状の大型Ｈ鋼の交叉部分はブラインドフランジ９等を溶接して固定する。ここで、既設リアクター５の頂部５−１と大型Ｈ鋼の受台１０は、ボルト、ナット１１を用いてブラインドフランジ９と既設リアクター５自体のフランジ２０を結合することによつて、固定される。また、受台１０の大型Ｈ鋼の４本の脚部１０−１は既設リアクター５の頂部５−１に当接し、４本の脚部１０−１に仮設支柱１が立設する。仮設支柱１は、それぞれ角パイプ１−１，１−２，１−３，１−４から形成され、運搬可能な長さに分割し得るように構成されている。なお、仮設支柱１は、横梁１２及びブレース１３を用いて互いに連結し、補強してもよい。
【０００９】
図３は、実際のプラントの敷地内を示した平面図であり、この敷地内に本発明を適用してリアクターを新設する例を説明する。ここでは、新設リアクター７をリアクターＲＴ−１０１ＢとしてＡ地点に新設する。図３から明らかなように、建設地盤のＡ地点には、既設リアクターＲＴ−１０１Ａ，ＲＴ−１００Ｂが近接し、これらの既設リアクターの隣には、熱交換器ＨＥ−１０２Ｄ，ＨＥ−１０２Ｈが設置され、狭い空地を挾んで既設リアクターＲＴ−２０１Ａ，ＲＴ−２０１Ｂ、さらにタワーＴＷ−１０２、ベッセルＶＥ−１０４，ＶＥ−１０５が設置されている。なお、狭い空地は、クレーンを設置できる広さでなく、また、ジンポール等の架構や従来の吊上設備を構築できる面積でない。また、ＧＲ−１００はグレーチングを表す。このように、図示のプラントの敷地内は、既設リアクター、熱交換器、ベッセル、タワーが近接して設置され、空地が狭いため、大型クレーンを設置したり、ジンポール等の架構や吊上設備を構築することかできない状況にある。
そこで、新設リアクター７を新設するに際し、本実施例では、先ず、グレーチングＧＲ−１００を一時的に撤去し、新設リアクター７を搬入できる空間を確保する。次に、建設地盤のＡ地点に隣接する既設リアクターＲＴ−１０１ＡとＲＴ−１００Ｂを利用して、各既設リアクターＲＴ−１０１Ａ，ＲＴ−１００Ｂの頂部に本実施例として上述した据付設備Ｓを立設し、この据付設備Ｓに吊上装置４を取り付け、続いて、吊上装置４を作動して、図１に示すように、新設リアクター７を吊り上げ、その後基礎土台８に吊り下げて建設地盤のＡ地点に据付ける。この作業時において既設リアクターにかかる荷重は、垂直方向であり、強度上問題はない。
このように、プラントの増設に伴ってリアクターを追加設置する場合、建設地盤が非常に狭く、従来の工法では据付作業が実施できないとき、本実施例では、近接する既設のプラントを利用して、据付設備を構築し、この据付設備によって新設リアクター等を据付設置することができる。
【００１０】
なお、本実施例では、リアクターを新設の据付機器として説明したが、新設の据付機器としては、タワー等の機器及び構造物等の各種プラント機器があり、これら機器及び構造物等の各種プラント機器を据付けるときにも適用できる。さらに、各種プラント機器の据付け以外に、様々な各種機器を据付ける際にも、本実施例を有効に適用できることは云うまでもない。
また、本実施例では、既設リアクターの頂部に据付設備を構築するとして説明したが、既設リアクターに限らず、その他の様々な各種機器の頂部に据付設備を構築してもよいことは勿論である。
【００１１】
【発明の効果】
以上説明したように、本発明によれば、従来の工法では据付作業が困難であった狭い場所においても、既設リアクター等様々な各種機器を利用して、その頂部に据付設備を構築することができ、据付作業を円滑に行うことができる。
また、既設リアクター等様々な各種機器を利用して、据付設備を構築するので、建設地盤に直接立設する場合に比し、据付設備を形成する仮設資材を大幅に削減することができる。特に、リアクターやタワー等の長尺物を新設する場合、有効である。
また、仮設資材の大幅な削減に伴い、作業量が削減され、作業工程が減少するので、作業の省力化が図られると共に、仮設資材費が節減され、コスト安が図られる。
また、本実施例の据付設備では、据付作業が狭い範囲に限定されるため、作業時における立入り禁止のエリアが狭く、換言すれば、安全範囲を広く採ることができる。
【図面の簡単な説明】
【図１】本発明の一実施例を示す。
【図２】立設する仮設支柱と既設リアクターの頂部の詳細構造を示す。
【図３】実際のプラントの敷地内に本発明を適用した例を示す。
【図４】従来の吊上設備を示す。
【符号の説明】
Ｓ  据付設備
１，２  仮設支柱
３  仮設トネ（据付梁）
４  吊上装置
５，６  既設リアクター
５−１，６−１  既設リアクターの頂部
７  新設リアクター
８  基礎土台
９  ブラインドフランジ
１０  受台
【図１】
0003671242.tif 000002
【図２】
0003671242.tif 000003
【図３】
0003671242.tif 000004
【図４】
0003671242.tif 000005